(57)【要約】【課題】積み上げた状態で安定し、視覚的に変化を与えて、訴求力を高めることができる陳列台を提供する。【解決手段】周壁に窓１２を有する多角柱状の枠体１に、角度を変えても内接する背の低い正多角柱状の連結体２を挿入し、連結体２の上面に貼着した底板３の角部を枠体１の底角部に係合させて、枠体１の底面から連結体２を突出可能としつつ抜け止めする。この陳列台を複数段積み上げる際、上段側の枠体１の底面から連結体２を突出させて、連結体２を下段側の枠体１の上部に係合させると、積みずれが防止される。また、上下の陳列台を捻るように角度を変えて積み上げることもできる。【選択図】  図８
2005006795.tif 000002
【特許請求の範囲】
【請求項１】
周壁に窓を有する多角柱状の枠体に、角度を変えても内接する背の低い多角柱状の連結体を挿入し、連結体の上面に貼着した底板の角部を枠体の底角部に係合させて、枠体の底面から連結体を突出可能としつつ抜け止めした陳列台。
【請求項２】
請求項１に記載の陳列台において、枠体の内部に挿入した仕切体の上に天板を載せ、枠体を載置面に置いて、底板が押し上げられても、天板が枠体の上縁から窪んだ高さに支持されるようにした陳列台。
【発明の詳細な説明】
【０００１】
【発明の属する技術分野】
この発明は、店頭での商品陳列に使用する段ボール等の厚紙を材料とした陳列台に関するものである。
【０００２】
【従来の技術】
例えば、化粧品等の商品を店頭で陳列する際、段ボールを材料として、四角柱形の枠体に底板及び天板を設け、周壁に窓を形成し、枠体の内部に収納した商品が窓から見えるようにすると共に、天板にも商品を載せられるようにした陳列台が使用されている。
【０００３】
【発明が解決しようとする課題】
しかしながら、上記のような陳列台では、顧客の注意を惹くように複数段積み上げようとしても、連結する手段がなく、単に積み重ねるだけでは、積ずれが起こって美観を損ねたり、上段側のものが落下したりする恐れがあった。
【０００４】
そこで、この発明は、積み上げた状態で安定し、視覚的に変化を与えて、訴求力を高めることができる陳列台を提供することを課題とする。
【０００５】
【課題を解決するための手段】
上記課題を解決するため、この発明に係る陳列台は、周壁に窓を有する多角柱状の枠体に、角度を変えても内接する背の低い多角柱状の連結体を挿入し、連結体の上面に貼着した底板の角部を枠体の底角部に係合させて、枠体の底面から連結体を突出可能としつつ抜け止めしたのである。
【０００６】
このような陳列台では、複数段積み上げる際、上段側の枠体の底面から連結体を突出させて、この連結体を下段側の枠体の上部に係合させると、積みずれが防止され、上下の陳列台を捻るように角度を変えて積み上げることもできる。
【０００７】
また、前記枠体の内部に挿入した仕切体の上に天板を載せ、枠体を載置面に置いて、底板が押し上げられても、天板が枠体の上縁から窪んだ高さに支持されるようにした場合、段積み時の連結機能を確保しつつ、枠体の内部が区画されて整然とした陳列が可能となり、天板の上にも商品を載せることができる。
【０００８】
【発明の実施の形態】
以下、この発明の実施形態を添付図面に基づいて説明する。
【０００９】
この陳列台は、図１及び図２に示すような段ボールのブランクから組み立てられる。ここで、図１は枠体１をなす部材のブランクを、図２は連結体２、底板３及び天板４並びに仕切体５をなす部材のブランクをそれぞれ示す。
【００１０】
図１に示す枠体１のブランクは、各２枚の側板１１を連設して周壁の２面をなす２枚の部材から成り、一方の部材の各側板１１には窓１２が形成され、窓１２の両側縁及び下縁には補強片１３が連設されている。
【００１１】
これらの部材の各側板１１には、下縁一側部に抜止片１４が連設され、各部材の外縁には継代片１５が連設されている。各側板１１の上縁には補強片１６が連設され、窓１２のない部材の下縁中央部には補強片１７が連設されている。
【００１２】
一方、図２に示す連結体２のブランクでは、正八角形の上板２１の両側辺に側板２２を介して下板２３が連設され、下板２３は正八角形を二等分した形状とされている。下板２３の外端縁には突合板２４及び重合板２５が順次連設され、下板２３と突合板２４の稜部には両端から切込２６が入れられている。
【００１３】
また、下板２３の連設辺と９０°の角度をなす上板２１の対向辺には、側板２２を介して差込板２７が連設され、その先端縁中央部には切込２８が入れられている。そのほか、上板２１の連設辺と４５°の角度をなす下板２３の斜辺にも側板２２が連設されている。
【００１４】
また、図２に示す底板３及び天板４のブランクは、同一のものであり、これらはそれぞれ正方形の平板２９を２枚連設し、その境界中央部に指掛穴３０を設けたものとされている。
【００１５】
さらに、仕切体５をなす部材のブランクは、仕切板３１を２枚連設し、各仕切板３１の端縁中央部に切込３２を入れたものとされている。
【００１６】
上記のようなブランクから陳列台を組み立てるには、図３に示すように、枠体１をなす部材の側板１１を境界部で折り曲げ、継代片１５で継ぎ合わせて、角筒状の周壁を形成すると共に、側板１１の裏面に補強片１３，１６，１７を折り曲げて貼り付け、抜止片１４を隣接する側板１１へ架け渡すように折り曲げて、その先端部を側板１１の裏面に貼り付ける。
【００１７】
また、図４及び図５に示すように、連結体２のブランクにおいて、上板２１から両側の側板２２、下板２３、突合板２４及び重合板２５を巻き込むように折り曲げ、側板２２及び差込片２７を順次折り曲げて、切込２６，２８を相互に差し込み、他の側板２２も折り曲げて周壁を形成する。
【００１８】
さらに、図３に示すように、底板３及び天板４のブランクにおいて、平板２９を折り重ねて貼り合わせ、底板３を連結体２の上板２１に貼り付け、仕切体５のブランクにおいて、仕切板３１を折り重ねて貼り合わせ、２枚の仕切板３１を切込３２で噛み合わせる。
【００１９】
そして、枠体１の内部に、連結体２を底板３と共に挿入し、次に、仕切体５を挿入して、仕切体５を底板３の上に載せ、仕切体５の上に天板４を載せると、陳列台が形成される。
【００２０】
このように組み立てた陳列台では、図６に示すように、複数段積み上げる際、上段側となる枠体１を持ち上げると、その底面から連結体２が突出し、底板３の隅部が抜止片１４で受け止められて、枠体１の底面から連結体２が抜け止めされる。また、下段側となる枠体１を床に置くと、底板３がやや押し上げられ、天板４は枠体１の上縁からやや窪んだ高さに支持される。
【００２１】
このため、上下の陳列台の向きを揃えた状態において、上段側の連結体２を下段側の枠体１の周壁上部に内接させて嵌め込むことができ、このように積み上げると、図７に示すように、上下の陳列台が連結されて、陳列台相互の積みずれを防止することができる。
【００２２】
また、図８及び図９に示すように、上下の陳列台を４５°捻るように角度を変えて積み上げても、連結体２が下段側の枠体１の周壁上部に内接するように嵌まり込むので、上下の陳列台が連結されて、積みずれを防止することができる。
【００２３】
そして、上記のような積上状態において、枠体１の内部に商品を収納し、仕切体５で区画されたスペースの底板３に載置すると、これらの商品を整然と並べた状態で窓１２から見せることができ、また、上段側の陳列台の天板４にも商品を載せて、ボリューム感のある陳列を行うことができる。
【００２４】
また、この陳列台では、図示したような２段の積み上げだけでなく、上下の陳列台を捻るように角度を変えつつ、三段以上積み上げたり、多段積み上げた陳列台を雁行させるように配置したりすることもでき、視覚的に変化を与える多彩な陳列方法が可能となる。
【００２５】
なお、この陳列台は、仕切体５及び天板４を省略しても、積み上げた上下の陳列台同士を連結することができる。また、売場の状況によっては、積み上げることなく、単体で使用してもよい。
【００２６】
ところで、上記実施形態では、枠体１が正四角柱のものを示したが、枠体１の形状は、これに限定されるものではなく、例えば、図１０乃至図１２に示すように、枠体１を正三角柱とし、連結体２を正六角柱の形状として、上下の陳列台を捻って積み上げられるようにしてもよい。
【００２７】
また、枠体１を１２０°と６０°の対向角を有する菱形断面とし、連結体２を正六角柱の形状としても、上下の陳列台を捻って積み上げることができる。このように、一般的に、枠体１は多角柱状であればよく、連結体２は角度を変えても枠体１に内接する形状であればよい。
【００２８】
【発明の効果】
以上のように、この発明に係る陳列台では、複数段積み上げる際、上段側の枠体の底面から連結体を突出させて、この連結体を下段側の枠体の上部に係合させると、積みずれが防止され、上下の陳列台を捻るように角度を変えて積み上げることもでき、視覚的に変化を与えて、訴求力を高めることができる。
【００２９】
また、前記枠体の内部に挿入した仕切体の上に天板を載せ、段積み時の連結機能を確保しつつ、枠体の内部を区画されて整然とした陳列をすることができ、天板の上にも商品を載せることもできる。
【図面の簡単な説明】
【図１】この発明に係る陳列台の正四角柱枠体のブランクを示す図
【図２】同上の連結体、底板及び天板並びに仕切体のブランクを示す図
【図３】同上の陳列台の組立過程を示す分解斜視図
【図４】同上の連結体の組立過程を下方から示す斜視図
【図５】同上の組立状態を下方から示す斜視図
【図６】同上の上下の陳列台を同方向に向けた積上過程を示す斜視図
【図７】同上の積上状態を示す斜視図
【図８】同上の上下の陳列台を捻るように角度を変えた積上過程を示す斜視図
【図９】同上の積上状態を示す斜視図
【図１０】この発明に係る正三角柱枠体の陳列台の組立過程を示す分解斜視図
【図１１】同上の上下の陳列台を捻るように角度を変えた積上過程を示す斜視図
【図１２】同上の積上状態を示す斜視図
【符号の説明】
１  枠体
２  連結体
３  底板
４  天板
５  仕切体
１１  側板
１２  窓
１４  抜止片
【図１】
2005006795.tif 000003
【図２】
2005006795.tif 000004
【図３】
2005006795.tif 000005
【図４】
2005006795.tif 000006
【図５】
2005006795.tif 000007
【図６】
2005006795.tif 000008
【図７】
2005006795.tif 000009
【図８】
2005006795.tif 000010
【図９】
2005006795.tif 000011
【図１０】
2005006795.tif 000012
【図１１】
2005006795.tif 000013
【図１２】
2005006795.tif 000014